【事件の表示】
　特願２０１１−１２９９２９「電動工具」拒絶査定不服審判事件〔平成２４年１２月２７日出願公開、特開２０１２−２５４５０８〕について、次のとおり審決する。
【結　論】
　本件審判の請求は、成り立たない。
【理　由】
１　手続の経緯・本件発明 
　本件出願の手続の経緯は以下のとおりである。
　平成２３年　６月１０日　　：出願
　平成２６年　６月２０日　　：上申書、手続補正書の提出
　平成２６年　６月３０日付け：拒絶理由の通知
　平成２６年　７月１８日　　：意見書、手続補正書の提出
　平成２６年　７月３１日付け：拒絶査定
　平成２６年１０月２４日　　：審判請求書、手続補正書の提出
　平成２７年　２月１２日　　：上申書の提出
　平成２７年　５月１３日付け：拒絶理由の通知（当審）
　平成２７年　６月３０日　　：意見書、手続補正書の提出
　そして、本件出願の請求項１及び２に係る発明は、平成２７年６月３０日に提出された手続補正書によって補正された特許請求の範囲の請求項１及び２に記載された事項により特定されるものと認められるところ、その請求項１に係る発明は、以下のとおりのものである。
「　【請求項１】
被切断材に当接させるベースと、該ベースの上面側に支持された切断機本体を備え、該切断機本体は、グリップ部を有するハンドルと、モータハウジングに収容したＤＣブラシレスモータと、該ＤＣブラシレスモータの動作を制御するモータ制御装置と、電源としてのバッテリパックが取り付けられるバッテリ取付け台座部と、前記ＤＣブラシレスモータを駆動源として回転する鋸刃を備え、前記ベースの下面側に突き出した前記鋸刃の下部を被切断材に切り込ませて切断加工を行う切断機であって、
　前記モータ制御装置は、複数のスイッチング素子から構成される三相ブリッジ回路を備え、
　前記グリップ部と、前記モータハウジングの外周面上部より上方で延びて前記グリップ部の前部に至る起立部と、前記モータハウジングの外周面後部より後方で延びて前記グリップ部の後部に至る連結部が側面視略三角形状に形成されることで、前記ハンドルが構成され、
　前記グリップ部に前記ＤＣブラシレスモータを起動するためのトリガスイッチが設けられており、
　前記ハンドルの後部に、前記バッテリ取付け台座部が設けられており、
　前記バッテリ取付け台座部に取り付けたバッテリパックの電力を前記ＤＣブラシレスモータに供給するための電源供給用ケーブルが、前記連結部の内部に設定した配線通路に配線されて前記モータ制御装置に接続されており、前記トリガスイッチから第１の信号線が前記グリップ部の内部を後方に延びて前記配線通路に配線されて、前記電源供給用ケーブルの配線経路として前記グリップ部内を除外した切断機。」（以下「本件発明」という）
２　当審での拒絶の理由
　一方、当審が平成２７年５月１３日付けで通知した拒絶の理由の概要は、以下のとおりである。
　本件出願の請求項１ないし３に係る発明は、その出願前日本国内又は外国において、頒布された下記の刊行物に記載された発明又は電気通信回線を通じて公衆に利用可能となった発明に基づいて、当業者が容易に発明をすることができたものであるから、特許法第２９条第２項の規定により特許を受けることができない。
　　　　　　　　　　　　　　　記
　１．特開平９−１６４５０１号公報
　２．特開２０１０−２６０１５２号公報
３　刊行物の記載事項
（１）当審が通知した上記拒絶の理由で引用した特開平９−１６４５０１号公報（以下「刊行物１」という）には、図面とともに次の事項が記載されている（下線は理解の便のため当審で付与）。
ａ　「【０００９】
【発明の実施の形態】本発明における
電動丸鋸として、バッテリーを駆動源とする
被切断部材の外面に当接されるベース８
【００１０】
本体７を構成するハウジング３の中央部にはメインスイッチ９
ハウジング３の後部には把手部１１が一体に設けられ、把手部１１の後部にはバッテリーが着脱自在に取り付けられる電池部１２が設けられている
この丸鋸刃１は
モータケース１０内に収納配置されたモータ１３にて図１、図２、図４中矢印イ方向に向けて回転駆動させられる
【００１１】
本体７に配された丸鋸刃１とモータ１３と把手部１１と電池部１２は同一軸線上に配置
【図１】
ｂ　「【００１３】ここで、ブレーキ回路は図３に示されるように構成されており、
スイッチＳＷのオン時には電源が入り、モータ１３が駆動する
ｃ　上記摘記事項ａの「本体７の下側に配される・・・ベース８」という記載及び図１の板状のベース８の上面側に本体７が位置し下面側から丸鋸刃１が突出している構成の図示からみて、本体７はベース８の上面側に支持されており、ベース８の下面側に突き出した丸鋸刃１の下部を被切断部材に切り込ませるものであると認められる。
ｄ　上記摘記事項ｂの「スイッチＳＷのオン時には電源が入り、モータ１３が駆動する」という記載及び図１のメインスイッチ９の形状配置の図示からみて、メインスイッチ９（スイッチＳＷ）はモータ１３を起動するためのトリガスイッチであり、ハウジング３に一体に設けられた把手部１１のグリップ位置に設けられていると認められる。
ｅ　図１の記載からみて、電池部１２に取り付けたバッテリーの電力をモータ１３に供給するための電源供給用ケーブルが、ハウジング３の内部に設定した配線通路に配線されていることが理解できる。
ｆ　上記摘記事項ａ及びｂ並びに認定事項ｃないしｅを、技術常識を踏まえて整理すると、刊行物１には以下の発明が記載されていると認められる。
「被切断部材の外面に当接されるベース８と、該ベース８の上面側に支持された電動丸鋸の本体７を備え、該電動丸鋸の本体７は、グリップ位置を有する把手部１１と、モータケース１０に収納配置されたモータ１３と、バッテリーが取り付けられる電池部１２と、前記モータ１３を駆動源として回転する丸鋸刃１を備え、前記ベース８の下面側に突き出した前記丸鋸刃１の下部を被切断部材に切り込ませて切断する電動丸鋸であって、
　前記把手部１１のグリップ位置に前記モータ１３を起動するためのトリガスイッチが設けられており、
　前記把手部１１の後部に、前記電池部１２が設けられており、
　前記電池部１２に取り付けたバッテリーの電力を前記モータ１３に供給するための電源供給用ケーブルが、ハウジング３の内部に設定した配線通路に配線された、電動丸鋸。」（以下「引用発明」という）
（２）当審で通知した拒絶の理由に示した特開２０１０−２６０１５２号公報（以下「刊行物２」という）には、図面とともに次の事項が記載されている。
ｇ　「【０００１】
　
本発明は、ブラシレスモータを駆動源とする電動工具に関する
丸鋸
等のブラシレスモータを使用する他の電動工具にも適用可能
ｈ　「【００２２】
＜電動工具５０全体の組立構成について＞
　最初に、図１を参照して電動工具全体の組立構成について説明する。
電動工具５０の本体は、胴体ハウジング部（モータハウジング部とも称する）１ａおよびハンドルハウジング部（グリップハウジング部とも称する）１ｂから成るハウジング１内に収容されている。胴体ハウジング部（モータハウジング部）１ａは、ブラシレスモータ部（ブラシレス直流モータ部）２のモータ回転軸（モータ軸）２ｅの軸方向（水平軸方向）に沿って、一端部（図面の左端部）１ｃから他端部（図面の右端部側）１ｄに延在し、胴体ハウジング部１ａの一端部１ｃ側においてブラシレスモータ部２およびインバータ回路の半導体スイッチング素子３ａを実装するインバータ回路基板３を収容し、かつブラシレスモータ部２の他端部１ｄ側において、動力伝達部５を構成する減速機構部５ａおよびトルク調整部（クラッチ部）５ｂを収容する。
【００２３】
　ハンドルハウジング部（グリップハウジング部）１ｂは、胴体ハウジング部１ａの延在方向から分岐するように垂下し、作業者が片手で把持できるような外周形状を有する。ハンドルハウジング部１ｂの下端部には、ブラシレスモータ２の駆動電源となる電池パック８が着脱可能に装着されている。また、
電池パック８の上部には、ブラシレスモータ２のインバータ回路基板３に組込まれたインバータ回路を制御するための制御回路基板４が、紙面を横切る方向に延在するように設けられている
【００２４】
　
ブラシレスモータ部２は、本実施形態では３相ブラシレス直流モータからなる
ｉ　「【００３５】
　一方、
ハンドルハウジング部１ｂの上端部には、スイッチ部７ａを有するスイッチトリガ（トリガ操作部）７が配設
スイッチ部７ａは、スイッチ回路基板７ｂに電気的接続され、スイッチトリガ７の引込み操作量に応答した電気信号をスイッチ回路基板７ｂへ供給
印加電圧設定回路１５（図６参照）の設定電圧として演算部２０へ入力
【００３６】
　
電池パック８は
インバータ回路基板３によって構成されたインバータ回路３（図６参照）へ駆動電力を供給するように電気的接続
ｊ　「【００４１】
＜電動工具５０の全体の回路構成について＞
　次に、電動工具５０の回路構成について、図６に示した回路機能プロック図を参照して説明する。図６に示されるように、インバータ回路部（３）は、上述したインバータ回路基板３に実装された、
３相ブリッジ形式に接続された半導体スイッチング素子（半導体パワーデバイス）３ａである６個のパワーＭＯＳＦＥＴ３ａ（Ｑ１〜Ｑ６）
【００４２】
　ブリッジ接続された６個のＭＯＳＦＥＴＱ１〜Ｑ６は、制御信号出力回路１３に接続され、また、６個のＭＯＳＦＥＴＱ１〜Ｑ６のドレインまたはソースはスター結線されたステータ巻線Ｕ、ＶおよびＷに接続される。これによって、６個のＭＯＳＦＥＴＱ１〜Ｑ６は、制御信号出力回路１３から入力されたスイッチング駆動信号Ｈ１〜Ｈ６によってスイッチング動作を行い、インバータ回路部３に印加される電池パック８の直流電圧を、３相（Ｕ相、Ｖ相、Ｗ相）の駆動電圧Ｖｕ、Ｖｖ、Ｖｗとして、ステータ巻線Ｕ、Ｖ、Ｗへ電力を供給する。
【００４３】
　
制御回路部３０は、制御信号出力回路１３に制御信号を出力するために設けられたもので、図１に示したスイッチ回路基板７ｂおよび制御回路基板４の回路装置を含む
【図６】
ｋ　「【００４６】
＜インバータ回路基板３の胴体ハウジング部１ａ内の配置について＞
　図２に示されるように、インバータ回路基板３は、配線パターン（図示なし）が形成されたほぼ円形形状のプリント基板から成り、該インバータ回路基板３の中央部にはモータ回転軸２ｅを貫通させるための貫通孔３ｄが形成されている。また、インバータ回路基板３のほぼ円周部には、６個の半導体スイッチング素子３ａ（図６の半導体スイッチング素子Ｑ１〜Ｑ６）が実装されている。
インバータ回路基板３とステータ巻線２ｄ間の電気的配線、インバータ回路基板３と制御回路基板４間の電気的配線、およびインバータ回路基板３とスイッチ回路基板７ｂ間の電気的配線には、大電流用導線３ｂおよび小電流用導線３ｃが使用されている
４　対比
　本件発明と引用発明とを対比する。
　引用発明の「被切断部材の外面に当接されるベース８」は本件発明の「被切断材に当接させるベース」に相当し、同様に「ベース８の上面側に配された電動丸鋸の本体７」は「ベースの上面側に支持された切断機本体」に、「グリップ位置を有する把手部１１」は「グリップ部を有するハンドル」に、「モータケース１０に収納配置された」は「モータハウジングに収容した」に、「バッテリーが取り付けられる電池部１２」は「電源としてのバッテリパックが取り付けられるバッテリ取付け台座部」に、「丸鋸刃１」は「鋸刃」に、「切断する電動丸鋸」は「切断加工を行う切断機」に、「把手部１１のグリップ位置」は「グリップ部」に、それぞれ相当する。また、刊行物１の上記摘記事項ｂの記載から「モータ１３」は直流電流で駆動されるものであることは明白であるから、引用発明の「モータ１３」と本件発明の「ＤＣブラシレスモータ」とは、「ＤＣモータ」である点で共通する。
　そうすると、引用発明は、
「被切断材に当接させるベースと、該ベースの上面側に支持された切断機本体を備え、該切断機本体は、グリップ部を有するハンドルと、モータハウジングに収容したＤＣモータと、電源としてのバッテリパックが取り付けられるバッテリ取付け台座部と、前記ＤＣモータを駆動源として回転する鋸刃を備え、前記ベースの下面側に突き出した前記鋸刃の下部を被切断材に切り込ませて切断加工を行う切断機であって、
　前記グリップ部に前記ＤＣモータを起動するためのトリガスイッチが設けられており、
　前記ハンドルの後部に、前記バッテリ取付け台座部が設けられており、
　前記バッテリ取付け台座部に取り付けたバッテリパックの電力を前記ＤＣモータに供給するための電源供給用ケーブルが、配線通路に配線された、切断機。」
である点で本件発明と一致し、下記の点で本件発明と相違する。
＜相違点１＞
　ハンドルの構成について、本件発明では、「前記グリップ部と、前記モータハウジングの外周面上部より上方で延びて前記グリップ部の前部に至る起立部と、前記モータハウジングの外周面後部より後方で延びて前記グリップ部の後部に至る連結部が側面視略三角形状に形成される」のに対し、引用発明では、把手部１１が斜めになるようハウジング３と接続されているが「側面視略三角形状に形成される」ようになっていない点。
＜相違点２＞
　本件発明では、ＤＣモータを「ＤＣブラシレスモータ」とし、「複数のスイッチング素子から構成される三相ブリッジ回路構成」とした「該ＤＣブラシレスモータの動作を制御するモータ制御装置」を備え、電源供給用ケーブルが「連結部の内部に設定した配線通路に配線されて前記モータ制御手段に接続されて」「配線経路としてグリップ部内を除外」し、トリガスイッチから「第１の信号線が前記グリップ部の内部を後方に延びて前記配線通路に配線され」るようにしたのに対し、引用発明ではそのようになっていない点。
５　当審の判断
＜相違点１＞について
　電動丸鋸のような切断機のハンドルについて、「グリップ部と、モータハウジングの外周面上部より上方で延びて前記グリップ部の前部に至る起立部と、前記モータハウジングの外周面後部より後方で延びて前記グリップ部の後部に至る連結部が側面視略三角形状に形成される」ように構成することは、例えば、特開昭５９−１６９３８７号公報の第３図に記載された丸ノコ（ハウジング（２）の上方に形成された略く字状の取手（１）の構造を参照）や特開２００８−２２９７６３号公報の図１ないし３に記載されたコードレス丸のこ１（ハウジング２から成りモータ９を収容する胴体部３から起立するハンドル４及び該ハンドル４の下端とハウジング２とを繋ぐ架設部１６の構造を参照）として示されているように、従来周知の事項である。そして、このような従来周知のハンドルの構造を引用発明の把手部１１に適用し、把手部１１に起立部及び連結部を接続させて側面視略三角形状に形成し、本件発明の上記＜相違点１＞に係る発明特定事項のように構成することは、適宜成し得る設計変更程度の事項に過ぎない。
＜相違点２＞について
　刊行物２には、コードレスタイプの丸鋸の駆動源としてＤＣブラシレスモータ２を用い（摘記事項ｇ及びｈを参照）、該ＤＣブラシレスモータのモータ制御を、６個の半導体スイッチング素子（ＭＯＳＦＥＴＱ１〜Ｑ６）を三相ブリッジ形式に接続したインバータ回路部３及び制御回路部３０で行う（摘記事項ｈ及びｊを参照）ものが記載されている。また、刊行物２には、スイッチトリガ７の操作量に応答した電気信号を、スイッチ部７ａからスイッチ回路基板７ｂを含む制御回路部３０及びインバータ回路部３へ入力する電気的接続を形成すること（摘記事項ｉ及びｋを参照）も記載されている。そして、丸鋸のような電動工具において、高効率のＤＣブラシレスモータを採用することは従来周知の技術事項であり、引用発明のコードレスの電動丸鋸においてもモータの高効率化は当然求められるものであるから、引用発明に刊行物２に記載されたＤＣブラシレスモータ及びそのモータ制御装置を導入することに格別の困難性はないものである。
　ここで、引用発明のモータ１３に代え、刊行物２に記載されたＤＣブラシレスモータ２を適用した場合、当然、該ＤＣブラシレスモータのモータ制御を行うインバータ回路部３及び制御回路部３０も引用発明のハウジング３内に設けられるものである。そして、刊行物２に記載された電池パック８は、インバータ回路基板によって構成されたインバータ回路へ駆動電力を供給するように電気的接続されており（摘記事項ｉを参照）、この電気的接続を引用発明に適用する際は、電池部１２からモータ１３の回転軸と同軸に設けたインバータ回路基板へ駆動電力を供給するように電気的接続するものと認められる。そして、当該電気的接続が電池部１２からインバータ回路基板へ駆動電力を直接供給するものであり、抵抗による電力損失を減らすため電力ケーブルを可及的に短くすることが技術常識であることを勘案すると、駆動電力を供給するケーブルについては、最短経路となる連結部の内部を通り、迂回経路となるグリップ部内（把手部１１内）を除外する配線経路を選択することは、当業者において自然というべきである。なお、刊行物２の図１には、電池パック８からの大電流導線がスイッチ回路基板７ｂを経由してインバータ回路基板３へ接続されている態様が示されている。しかしこの経由は、刊行物２に記載された電動工具が、ハンドルハウジング１ｂ内に配線された大電流導線の経路上に、制御回路部３０を構成するスイッチ回路基板７ｂも存在する構造で、電流検出等に利用されたものであって、当該図１に示された構成から、引用発明の電池部１２からモータ１３までの駆動電力の電源供給用ケーブルを、わざわざメインスイッチ９を経由させて把手部１１内を迂回する経路をとらせることになる根拠となるものではない。
　また、引用発明のトリガスイッチから出た信号線を、グリップ部（把手部１１）の内部を後方に延びて、電池部１２付近に設けられた制御回路部及びモータ付近に設けられたインバータ回路に向かい、連結部の内部に設定した配線通路に配線されるようにすることも、当業者が容易に採用し得る事項である。
　したがって、引用発明において、刊行物２に記載されたＤＣブラシレスモータ及びその制御の技術を転用し、本件発明の上記＜相違点２＞に係る発明特定事項に想到することは、当業者であれば容易であるといえる。
　また、本件発明によってもたらされる効果も、引用発明、刊行物２に記載された事項及び従来周知の事項から当業者であれば予測できる程度のものであって格別なものではない。
６　むすび
　したがって、本件発明は、引用発明、刊行物２に記載された事項及び従来周知の事項に基づいて、当業者が容易に発明をすることができたものであるから、特許法第２９条第２項の規定により、拒絶をすべきものである。
　よって、本件出願のその他の請求項に係る発明について検討するまでもなく、本件出願は拒絶されるべきであるから、結論のとおり審決する。